【手続補正書】
【提出日】平成29年9月21日(2017.9.21)
【手続補正１】
【補正対象書類名】特許請求の範囲
【補正対象項目名】全文
【補正方法】変更
【補正の内容】
【特許請求の範囲】
【請求項１】
細胞組織モデリング・コンポーネントとロボット・バイオアセンブリ・ワークステーション・コンポーネントとを含むバイオアセンブリ・システムであって、前記細胞組織モデリング・コンポーネントが、ユーザ・インターフェースと、作成、編集、モデリング、変形、画像プロパティ変調、スケッチ、プリント支援、シミュレーション、材料検査、およびその組み合わせから選択されたオブジェクト動作を実行するための少なくとも１組のツールと、材料データベースと、前記ユーザ・インターフェースにおいて生体構造物の立体モデルを設計する方法を容易に実行するために機械によって実行可能なソフトウェアとを含み、前記細胞組織モデリング・コンポーネントが、前記ロボット・バイオアセンブリ・ワークステーション・コンポーネントに動作可能に連結されており、
前記方法が、前記ユーザ・インターフェースにおいて少なくとも１つのオブジェクトをオブジェクト・モデリング環境に追加するステップであって、追加が、選択、作成、インポート、またはその組み合わせを含み、更に追加される各オブジェクトが、材料パラメータを含むオブジェクト・リストに関連付けられる、ステップと、
所望の立体モデルをレンダリングするために、前記モデリング環境において前記１つ以上のオブジェクトに対して１つ以上の動作を実行するステップと、
プリントおよび／または組み立てコマンドによって、前記レンダリングされた立体モデルを前記ロボット・バイオアセンブリ・ワークステーションに送信するステップと、
前記レンダリングされた立体モデルにしたがって、生体構造物をプリントするおよび／または組み立てるステップと、
を含む、バイオアセンブリ・システム。
【請求項２】
請求項１記載のバイオアセンブリ・システムにおいて、オブジェクトを前記オブジェクト・モデリング環境に追加するステップが、格納されたオブジェクトのパネルから少なくとも１つのオブジェクトを選択するステップを含む、バイオアセンブリ・システム。
【請求項３】
請求項２記載のバイオアセンブリ・システムにおいて、前記格納されたオブジェクトのパネルが、立方体、円筒、球、および三角錐の内１つ以上を含む、バイオアセンブリ・システム。
【請求項４】
請求項１記載のバイオアセンブリ・システムにおいて、オブジェクトを前記オブジェクト・モデリング環境に追加するステップが、
二次元有限構造物をスケッチし、モデル立体オブジェクトを形成するために境界を押し出す、
少なくとも２つの異なる平面上で二次元有限構造物をスケッチし、前記構造物の境界を直線的な輪郭または滑らかに繋がれた輪郭で結んでモデル立体オブジェクトを形成する、
無限曲線をスケッチし、モデル・チューブ・オブジェクトを形成するために直径を選択する、
モデル血管樹を形成するために入力パラメータを選択する、
ことの内少なくとも１つによって、オブジェクトを作成するステップを含む、バイオアセンブリ・システム。
【請求項５】
請求項４記載のバイオアセンブリ・システムにおいて、モデル血管樹を形成するための前記入力パラメータが、開始直径、命令長、比率、命令数、および終了直径を含む、バイオアセンブリ・システム。
【請求項６】
請求項１記載のバイオアセンブリ・システムにおいて、オブジェクトを前記オブジェクト・モデリング環境に追加するステップが、外部プログラムにおいて作成されたモデル・ファイルをインポートすることによって、オブジェクトをインポートするステップを含み、前記インポートされたモデル・ファイルが、医療用撮像技術によって生成された医療画像を定義する、バイオアセンブリ・システム。
【請求項７】
請求項６記載のバイオアセンブリ・システムにおいて、前記医療用撮像技術が、磁気共鳴撮像、コンピュータ化断層写真術、Ｘ線透視法、医療用超音波、内視鏡検査、エラストグラフィ、触覚撮像、サーモグラフィ、医療用写真術、および陽電子放出断層撮影から選択される、バイオアセンブリ・システム。
【請求項８】
請求項６記載のバイオアセンブリ・システムにおいて、前記医療画像が、患者に特定的であり、前記レンダリングされたオブジェクト・モデルが、前記患者の具体的な必要性に合わせて個人化される、バイオアセンブリ・システム。
【請求項９】
請求項１記載のバイオアセンブリ・システムにおいて、前記レンダリングされたオブジェクト・モデルを送信した後でプリントする前に、前記レンダリングされたオブジェクト・モデルに対してシミュレーション動作を実行する、バイオアセンブリ・システム。
【請求項１０】
請求項１記載のバイオアセンブリ・システムにおいて、前記レンダリングされたオブジェクト・モデルを送信した後でプリントする前に、少なくとも１回の材料検査プリントを実行し、前記検査プリントから得られた情報を、前記プリントを押し進めるために適用し、前記情報を今後のプリンティング用途のために格納することができる、バイオアセンブリ・システム。
【請求項１１】
請求項１記載のバイオアセンブリ・システムにおいて、前記ロボット・バイオアセンブリ・ワークステーション・コンポーネントが、ロボット・アーム・エフェクタ・コンポーネントを有するロボット・アームを含む多軸ロボットと、ロボット・コントローラと、材料貯蔵ユニットと、材料分与システムと、可調節プリント・ステージと、ユーザ・インターフェースとを含むフレーム型筐体を含む、バイオアセンブリ・システム。
【請求項１２】
請求項１１記載のバイオアセンブリ・システムにおいて、前記フレーム型筐体が、多数の角度から動作可能にユーザが接近可能であり、少なくとも１つのリアル・タイム観察のための接近を提供する、バイオアセンブリ・システム。
【請求項１３】
請求項１１記載のバイオアセンブリ・システムにおいて、前記多軸ロボットが６軸ロボットを含む、バイオアセンブリ・システム。
【請求項１４】
請求項１１記載のバイオアセンブリ・システムにおいて、前記材料分与システムが、生体材料の基板上に直接書き込むように構成された押し出しシリンジ・ディスペンサを含む、バイオアセンブリ・システム。
【請求項１５】
請求項１４記載のバイオアセンブリ・システムにおいて、前記材料分与システムからの分与が、プリント基板の表面の平面に対して傾斜した角度で実行することが可能である、バイオアセンブリ・システム。
【請求項１６】
請求項１１記載のバイオアセンブリ・システムにおいて、前記ロボット・アーム・エフェクタ・コンポーネントが、プリンティング・ツール、ステージングおよび組み立てツール、並びにセンサから選択された１つ以上のエフェクタを含み、当該システムが、更に、前記プリントおよび／または組み立てコマンドによって指令されるとおりに、前記エフェクタ・コンポーネントにおいてツールの自動交換を実行するための、自動ツール交換機能を含む、バイオアセンブリ・システム。
【請求項１７】
請求項１６記載のバイオアセンブリ・システムにおいて、プリンティング・ツールが、グリッパ、シリンジ・バレル用万能ホルダ、およびディスペンサから選択され、前記ステージングおよび組み立てツールが、取り上げ、配置、および位置決めツールから選択され、前記センサが、レーザ変位センサおよび光電センサから選択される、バイオアセンブリ・システム。
【請求項１８】
請求項１７記載のバイオアセンブリ・システムにおいて、前記ロボット・アーム・エフェクタがレーザ変位センサを含み、前記可調節プリント・ステージが、前記レーザ変位センサからのフィードバックによって改良される手動コンポーネントを含む平準化メカニズムを含む、バイオアセンブリ・システム。
【請求項１９】
請求項１８記載のバイオアセンブリ・システムにおいて、前記ステージングが、プリント基板を取り上げ、前記プリント・ステージ上に位置付けることを含み、
前記方法が、前記プリント基板をステージングするステップと、プリント基板上にプリントするステップとの内少なくとも１つを含む、バイオアセンブリ・システム。
【請求項２０】
請求項１８記載のバイオアセンブリ・システムにおいて、前記プリント基板が可変表面トポグラフィを含む、バイオアセンブリ・システム。
【請求項２１】
請求項１９記載のバイオアセンブリ・システムにおいて、組み立てが、第１プリント構造物を取り上げ、第２構造物に対して位置付けることを含み、前記第２構造物が、第２プリント構造物および設けられた構造物から選択される、バイオアセンブリ・システム。
【請求項２２】
請求項１１記載のバイオアセンブリ・システムにおいて、前記材料分与システムが多数のシリンジを含み、各シリンジが１つの材料または生体材料を収容し、シリンジから分与するステップが、一度に１つの材料または生体材料を分与するステップを含む、バイオアセンブリ・システム。
【請求項２３】
請求項１１記載のバイオアセンブリ・システムにおいて、前記材料貯蔵ユニットが、少なくとも１つのシリンジ・バレル・ホルダであって、各々、多数のシリンジ・バレルを含むシリンジ・バレル・ホルダと、前記ホルダにおけるシリンジ・バレルの正しい据え付けを確保するための少なくとも１つの変位センサと、ニードル・サイズおよび先端の反りを検出するための少なくとも１つのニードル検出センサとを含む、バイオアセンブリ・システム。
【請求項２４】
ロボット・アームとロボット・アーム・エンド・エフェクタとを含むロボット生体材料分与装置であって、前記エンド・エフェクタが、シリンジ・バレルを掴み固定するように構成され、前記ロボット・アームが少なくとも６本の軸に沿ったシリンジの移動を提供する、ロボット生体材料分与装置。
【請求項２５】
請求項２４記載のロボット生体材料分与装置を利用して、１つ以上の生体材料をプリント基板上に、順次平面積層によらずに直接書き込み分与するステップを含む、３−Ｄ生体構造物製作方法。
【請求項２６】
請求項２４記載のロボット生体材料分与装置を利用して、１つ以上の生体材料を３−Ｄプリント基板上に直接書き込み分与するステップを含む、３−Ｄ生体構造物製作方法において、前記ロボット・アーム・エンド・エフェクタが、前記３−Ｄプリント基板の全ての所望の表面位置に対して垂直な角度に、前記分与シリンジを位置付ける、方法。